(57)【要約】      （修正有）【課題】パンスト購入検討者の地肌の色合いを考慮してパンストの色を容易に確認できる色見本を提供する。【解決手段】この色見本１００は、略同じ位置に開口部（第一台紙１０２における第一開口部１０２Ｈおよび第二台紙１０４における第二開口部１０４Ｈ）をそれぞれ備えた略四辺形形状の２枚の台紙（第一台紙１０２および第二台紙１０４）を含む。薄手衣類の一例であるパンストの生地（サンプル生地Ｓ）であって開口部（第一開口部１０２Ｈおよび第二開口部１０４Ｈ）よりも大きい生地により開口部（第一開口部１０２Ｈおよび第二開口部１０４Ｈ）の全体が覆われるように、パンストのサンプル生地Ｓの周縁が２枚の台紙（第一台紙１０２および第二台紙１０４）により挟持されている。【選択図】図１
0003202761.tif 000002
【実用新案登録請求の範囲】
【請求項１】
略同じ位置に開口部をそれぞれ備えた略四辺形形状の２枚の台紙を含む、薄手衣類の色見本であって、
前記薄手衣類の生地であって前記開口部よりも大きい生地により前記開口部の全体が覆われるように、前記薄手衣類の生地の周縁が前記２枚の台紙により挟持された、薄手衣類の色見本。
【考案の詳細な説明】
【技術分野】
【０００１】
本考案は、薄手衣類（上半身衣類を代表してアンダーシャツ、下半身衣類を代表してパンティストッキング）の販売に用いられる色見本に関し、特に、その薄手衣類自体の色を容易に確認することに加えて、購入検討者が着用した場合にその購入検討者の地肌の色合いを考慮して薄手衣類の色を容易に確認することのできる色見本に関する。ここで、薄手衣類とは、人が着用する全ての薄手衣類であって、ショーツ、アンダーシャツ、パンティストッキング（以下においてパンストと記載する場合がある）、タイツ、靴下（膝丈程度の短いストッキングを含む）等を含み、特に試着が好ましくない下着類を含む。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。このようなパッケージが適用される薄手衣類の一例としてパンティストッキングがある。
実用新案登録第３１１８０８０号公報(特許文献１)は、包装および陳列時の見栄えを失うことなく、携帯に適するように工夫した、複数足をまとめてコンパクトに包装できる新規の足組ストッキングの包装形態を開示する。この包装形態は、透明素材の包装袋と一枚の中台紙とにより構成され、包装袋は陳列時に正面に位置する特定小袋部を含む少なくとも２個の小袋部が連続して設けられ、各小袋部の取出し口には取出し口の閉じ用蓋片が設けられ、各小袋部どうし間には手指で切り離すための切取り線が設けられ、小袋部の縁には全体を折り畳み状態に保持する保持片および陳列用吊下げ片が設けられており、また中台紙は特定小袋部より小さい大きさとされ、一足目のストッキングが中台紙を用いてまとめられてストッキングの一部が中台紙の外面を覆う展開状態にされて特定小袋部内に収納され、一足目以外のストッキングは中台紙を用いることなくまとめられて他の小袋部内に収納されてから、全体が特定小袋部を正面にした折り畳み状態にされると共に、折り畳み状態が保持片により保持されるようにしてなり、中台紙は二つ折りにしたときに特定小袋部より一回り小さいサイズになる大きさの白地の板紙により構成され、二つ折りの一方側が前面版、他方側が後面版として機能するようにされ、前面版には透窓が開口されるとともに透窓近傍にはストッキング着用時の色見本表示用の区画が設けられている。
【０００３】
この包装形態によると、前面版には透窓が開口され、また透窓の横個所にはパンティストッキングの着用時の色見本表示用の区画(白地部分)が設けられる。そして、前面版に開口された透窓を通して折り畳まれたパンティストッキングが視覚によりその色を確認できるとともに、中台紙の外面に展開状態にされたパンティストッキングにおけるレッグ部分の一部は、色見本表示用の区画（白地部分）の外側にあって着用時の色見本の表示機能を果たすことができる。
【０００４】
ところで、この特許文献１に開示された包装形態において視覚により確認できるパンティストッキングの色は、透窓を通して何重かに折り畳まれた状態（後述する生地四重分よりも多く折り畳まれた状態）のパンティストッキングの色、および、色見本表示用の区画(白地部分)の外面に接触した片足分の生地二重分（または両足の生地四重分）のパンティストッキングの色となる。
【０００５】
また、パンティストッキングを含む靴下類を商品として販売する際の包装として、靴下類を長方形状に折り畳んでビニール製等の透明の包装袋に入れる場合に靴下類の色をはっきりみせるために靴下類に白色の台紙を挿入して包装することがある。実用新案登録第３０４１０８２号公報(特許文献２)は、このように台紙を靴下類に挿入して包装すると靴下類から台紙を取り出すとき、台紙の角が靴下類に引っかかり、台紙を取り出すのが面倒であったり、取り出しの際、靴下類に傷をつけたり、破いたりしてしまうことがあることに鑑み、靴下類を包装する際に靴下類内に挿入される包装用台紙であって、包装用台紙の中央部長手方向に折罫線もしくは切込線を設けたことを特徴とする靴下類包装用台紙を、開示する。
【０００６】
この靴下類包装用台紙によると、視覚により確認できるパンティストッキングの色は、透明の包装袋を通してパンティストッキングの生地そのもの（一重）のパンティストッキングの色となる。
【先行技術文献】
【特許文献】
【０００７】
【特許文献１】実用新案登録第３１１８０８０号公報
【特許文献２】実用新案登録第３０４１０８２号公報
【考案の概要】
【考案が解決しようとする課題】
【０００８】
ここで、パンティストッキング等の商品はそのファッション性のために、多色展開していることが多く、上述した特許文献１に開示された包装形態または特許文献２に開示された靴下類包装用台紙をパンティストッキングに適用することは、購入検討者が多色展開された商品群の中から要望する商品を容易に選択することができる点で好ましい。
しかしながら、上述した特許文献に開示された包装形態および靴下類包装用台紙を用いた場合、視覚により確認できるパンティストッキングの色は、透窓を通して何重かに折り畳まれた状態のパンティストッキングの色であったり、色見本表示用の区画(白地部分)の外面に接触した片足分の生地二重分（または両足の生地四重分）のパンティストッキングの色であったり、透明な包装袋を通したパンティストッキングの生地そのもの（一重）のパンティストッキングの色であったりする。パンティストッキング等の薄手衣類は、編地の種類（編糸および編組織）または色によっては着用者の地肌の色がパンティストッキングの生地を透過してしまうので上述したように包装状態のパッケージで確認した色と実際に着用した色とで異なる場合がある。この場合、購入決定時に想像していた色と異なることに、パンティストッキングを購入してパンティストッキングを着用して初めて気付くことになる。さらに、パンティストッキングおよび下着等の薄手衣類は試着が好ましくなく、さらに多色展開している全ての色の着用サンプルを準備することも好ましくなく、着用サンプルを準備できたとしても着用サンプルに不潔感を抱く購入検討者が存在することもあって、このような薄手衣類は商品を購入して実際に着用しないと地肌の色が反映された色を確認することができないのが現状である。
【０００９】
本考案は、従来技術の上述の問題点に鑑みて開発されたものであり、その目的とするところは、薄手衣類の購入検討者が着用した場合にその購入検討者の地肌の色合いを考慮して薄手衣類の色を容易に確認することのできる薄手衣類の色見本を提供することである。
【課題を解決するための手段】
【００１０】
上記目的を達成するため、本考案に係る、薄手衣類の色見本は以下の技術的手段を講じている。
すなわち、本考案に係る薄手衣類の色見本は、略同じ位置に開口部をそれぞれ備えた略四辺形形状の２枚の台紙を含む、薄手衣類の色見本であって、前記薄手衣類の生地であって前記開口部よりも大きい生地により前記開口部の全体が覆われるように、前記薄手衣類の生地の周縁が前記２枚の台紙により挟持されたことを特徴とする。
【考案の効果】
【００１１】
本考案の薄手衣類の色見本によれば、薄手衣類の購入検討者が着用した場合にその購入検討者の地肌の色合いを考慮して薄手衣類の色を容易に確認することができる。
【図面の簡単な説明】
【００１２】
【図１】本考案の実施の形態に係る薄手衣類の色見本についての（Ａ）全体斜視図、（Ｂ）使用方法を説明するための斜視図（その１）、（Ｃ）使用方法を説明するための斜視図（その２）、（Ｄ）使用方法を説明するための斜視図（その３）である。
【考案を実施するための形態】
【００１３】
以下、本考案の実施の形態に係る薄手衣類の色見本１００（以下において単に色見本１００と記載する場合がある）を、図面に基づき詳しく説明する。なお、この色見本１００が好ましく適用される衣類は薄手衣類である。ここで、薄手衣類とは、上述したように、人が着用する全ての薄手衣類であって、ショーツ、アンダーシャツ、パンティストッキン
グ、タイツ、靴下（膝丈程度の短いストッキングを含む）等を含み、特に試着が好ましくない下着類であって、以下においては、婦人用パンティストッキング（以下において単にパンストと記載する場合がある）であるとして説明する。この色見本１００が好ましく適用される衣類としては、このような婦人用パンティストッキングに限定されるものではなく、婦人用および紳士用を問わない、上述した薄手衣類である。
【００１４】
パンストのサンプル生地Ｓを貼付した色見本１００の斜視図を示す図１（Ａ）を参照して、本実施の形態に係る色見本１００について詳しく説明する。
この色見本１００は、大略的には、略同じ位置に開口部（第一台紙１０２における第一開口部１０２Ｈおよび第二台紙１０４における第二開口部１０４Ｈ）をそれぞれ備えた略四辺形形状の２枚の台紙（第一台紙１０２および第二台紙１０４）を含む。
【００１５】
さらに、薄手衣類の一例であるパンストの生地（サンプル生地Ｓ）であって開口部（第一開口部１０２Ｈおよび第二開口部１０４Ｈ）よりも大きい生地により開口部（第一開口部１０２Ｈおよび第二開口部１０４Ｈ）の全体が覆われるように、パンストのサンプル生地Ｓの周縁が２枚の台紙（第一台紙１０２および第二台紙１０４）により挟持されている。より詳しくは、開口部（第一開口部１０２Ｈおよび第二開口部１０４Ｈ）の内側の面の周縁にパンストのサンプル生地Ｓの周縁が挟持されるとともに固着（接着）されている。ここで、この色見本１００の１個あたりの開口部（第一開口部１０２Ｈおよび第二開口部１０４Ｈ）の個数（サンプル生地Ｓの種類数に同じ）は、図示した１個に限定されるものではなく、１個以上であれば構わない。以下においては、図示したように１個であるとして説明する。また、サンプル生地Ｓはパンストの生地そのもの（かつ重なりのない一重）である。
【００１６】
この２枚の台紙（第一台紙１０２および第二台紙１０４）は、それぞれ開口部（第一開口部１０２Ｈおよび第二開口部１０４Ｈ）が開けられた１枚の紙で構成されており、それぞれの外面側（外側から見える部位であって図１における紙面表裏方向の部位）には、この色見本１００が適用されるパンストの色番号、色名称、商品名、訴求ポイント（キャッチフレーズ）、仕様（糸使い、サイズ、色）等が記載された表示領域１０６を備えるようにしても構わない。特に、色番号、色名称については、開口部に設けられるパンストのサンプル生地Ｓに対応するように表示される。ここで、後述するように、サンプル生地Ｓそのものの色（１重の色）を確認するために、表示領域１０６以外の白色無地の領域を残すことが好ましい。
【００１７】
なお、この色見本１００を構成する２枚の台紙（第一台紙１０２および第二台紙１０４）は、（台紙と記載しているものの）紙製のものに限定されるものではなく、樹脂製等の平面プレートを切断加工したものであっても構わないが、以下においては、上述したように紙（厚紙）製のものとして説明する。
なお、この２枚の台紙（第一台紙１０２および第二台紙１０４）には、端部に吊下穴１０８を備えている。パンストを展示販売する什器（展示台）に多数のパンストのパッケージを吊り下げるために多数設けられた丸棒（ステー）がこの吊下穴１０８に通されて、この色見本１００がその什器に吊り下げられる。この点では、この色見本１００の外形寸法（図１（Ａ）に示す状態における外径寸法）は、パンストのパッケージと同程度または同程度以下であることが好ましい。なお、後述するように、パンスト購入検討者自身の地肌に開口部を合わせて、地肌色にパンストの生地そのもの（一重）を重ねた色を、パンスト購入検討者が視覚により確認できる程度の大きさが、この色見本１００の外形寸法として必要である。
【００１８】
以上のような構成を備えた色見本１００は、以下のように使用する。
なお、パンストが多色展開（本考案においては多色展開には色のみならず多柄展開を含む）されていることに鑑みて、その多色数に対応するようにこの色見本１００が準備することが好ましい。たとえば、図１（Ａ）に示すようにこの色見本１００の１個あたり１個（１色）のサンプル生地Ｓが設けられている場合であって、Ｎ色展開している場合には、色見本１００をＮ個準備することが好ましい。上述したように、この色見本１００の外形寸法をパンストのパッケージと同程度または同程度以下、かつ、地肌色にパンストの生地
そのもの（一重）を重ねた色を購入検討者が視覚により確認できる程度の大きさを満足する限りにおいて、色見本１００の１個あたりＣ個（Ｃ色）のサンプル生地Ｓを設けることも好ましい。この場合であって、Ｎ色展開している場合には、このような多色色見本を（Ｎ／Ｃ）個準備することが好ましいことになる。以下においては、色見本１００の１個あたり１個（１色）のサンプル生地Ｓが設けられ、かつ、６色展開しているとして説明する。
【００１９】
図１（Ｂ）に示すように、異なる色または／および異なる柄のサンプル生地Ｓ（１）〜Ｓ（６）が設けられた色見本１１０〜色見本１６０が準備される。これらの色見本１１０〜色見本１６０は、パンストを展示販売する什器（展示台）に多数のパンストのパッケージを吊り下げるために多数設けられた丸棒（ステー）に吊下穴１０８が通されてその什器に吊り下げられている。パンスト購入検討者は、たとえば、多数のパンストのパッケージが吊り下げられたパンストを展示販売する什器（展示台）に近寄ると、吊下穴１０８に丸棒（ステー）が通されてその什器に吊り下げられたこれらの色見本１１０〜色見本１６０を手に取る。
【００２０】
これらの色見本１１０〜色見本１６０の中から、たとえば、２つの色見本をを手に取る。ここでは、サンプル生地Ｓそのものの色（１重の色）を購入検討者が確認したい色見本として、色見本１３０および色見本１４０であるとするが、確認したい色見本の個数は限定されない。図１（Ｃ）に示すように、確認したい色見本１３０の開口部に他の色見本１４０の台紙の外面側に残された白色無地の領域を重ねる。次に、購入検討者は色見本１３０と色見本１４０とを入れ替える。これらの状態においては、生地色確認状態となり、サンプル生地Ｓ（３）の裏側に他の色見本１４０の台紙の白色無地の領域が存在したり、サンプル生地Ｓ（４）の裏側に他の色見本１３０の台紙の白色無地の領域が存在したりする。このため、パンスト購入検討者が開口部を見て視覚により認識する色は、パンストの生地そのもの（一重）の色となる。
【００２１】
次に、パンスト購入検討者は、たとえば、色見本１３０を手に取って、パンスト購入検討者の地肌（腕、足等）にこの色見本１３０の開口部を重ねる。この状態においては、重ね色確認状態となり、サンプル生地Ｓ（３）の裏側にパンスト購入検討者の地肌が存在する。このため、パンスト購入検討者が開口部を見て視覚により認識する色は、パンストの生地そのもの（一重）の色ではなく、パンスト購入検討者自身の地肌にパンストの生地そのもの（一重）を重ねた色となる。この場合において、実際の自身の地肌に色見本１００の開口部を重ねるために、パンスト購入検討者の地肌の色が人により様々であるが、その色のパンストをその人が着用したときの色をその人が認識することができる。
【００２２】
なお、図示したように、図１（Ｃ）に示すサンプル生地Ｓ（３）に対して、図１（Ｄ）に示すサンプル生地Ｓ（３）は、地肌の色の分だけ濃くなっている。
以上のようにして、本実施の形態に係る色見本１００によると、薄手衣類の一例であるパンティストッキングの購入検討者が着用した場合にその購入検討者の地肌の色合いを考慮して薄手衣類の色を容易に確認することができる。特に、パンティストッキングの生地そのものの色と容易に比較して確認できる点で好ましい。
【００２３】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２４】
本考案は、商品である薄手衣類の色見本として好適であり、その薄手衣類の購入検討者が着用した場合にその購入検討者の地肌の色合いを考慮して薄手衣類の色を容易に確認できる点で特に好適である。
【符号の説明】
【００２５】
１００、１１０、１２０、１３０、１４０、１５０、１６０    色見本
【図１】
0003202761.tif 000003